(57)【要約】【課題】地中に埋設された配管が地上機械の刃等によって損傷を受けないように保護する。【解決手段】配管保護体１は鋳鉄製の板体よりなり、地中に埋設された配管の上方を覆って当該配管と地表との間に位置させられる。配管保護体１には、配管が延びる方向の両端部に他の配管保護体１と連結するための係止穴１２１と係止突起１３が形成されている。配管保護体１には、電線管が延びる方向と直交する方向の両側縁１１ａ，１１ｂに棒鋼２が接合してある。【選択図】        図１
2004183803.tif 000002
【特許請求の範囲】
【請求項１】
鋳鉄製の板体よりなり、地中に埋設された配管の上方を覆って当該配管と地表との間に位置させられる配管保護体。
【請求項２】
前記配管保護体には、配管が延びる方向の両端部に他の配管保護体と連結するための連結手段が設けられている請求項１に記載の配管保護体。
【請求項３】
前記配管保護体には、配管が延びる方向と直交する方向の両側縁に、硬質材よりなる耐久部が設けてある請求項１または２に記載の配管保護体。
【請求項４】
前記耐久部は丸棒体で、軸心回りに回転可能に設けられている請求項３に記載の配管保護体。
【発明の詳細な説明】
【０００１】
【発明の属する技術分野】
本発明は配管保護体に関し、特に、地中に埋設された配管が、コンクリートカッターや破砕機、掘削機等による損傷を受けないように保護するための配管保護体に関する。
【０００２】
【従来の技術】
地中に敷設された電線管やガス管、水道管等の配管ＥＰが例えば図８に示すように他の埋設物Ｔの上方を通る場合には地表Ｅからの深さが浅くなる。このためコンクリートカッター等の地上機械の刃によって損傷を受けやすく、その復旧には多大の労力を要する。なお、特許文献１には電線管の損傷を防止するようにした地中埋設管路が示されている。
【特許文献１】特開２００２−３０３３８０
【０００３】
【発明が解決しようとする課題】
そこで本発明はこのような課題を解決するもので、地中に埋設された配管が地上機械の刃等によって損傷を受けないように保護するための配管保護体を提供することを目的とする。
【０００４】
【課題を解決するための手段】
上記課題を解決するために、本第１発明では、配管保護体（１）は鋳鉄製の板体よりなり、地中に埋設された配管（ＥＰ）の上方を覆って当該配管（ＥＰ）と地表（Ｅ）との間に位置させられる。本第１発明によれば、配管の上方を覆うように地表との間に板体の配管保護体が位置しているから、地中内に進入した破砕機、掘削機等の刃先は上記保護体に当たってそれ以上の進入を阻止される。これにより、配管保護体下方の配管が損傷を受けることが免れる。また、配管保護体を鋳鉄製としたから、鋳鉄製の例えばマンホール蓋等をリサイクルした鋳鉄材より安価に製造される。
【０００５】
本第２発明では、配管保護体（１）には、配管（ＥＰ）が延びる方向の両端部に他の配管保護体（１）と連結するための連結手段（１２１，１３）が設けられている。本第２発明によれば、複数の配管保護体を互いに連結手段によって連結することにより、配管に沿った所定長さ範囲に、横ずれを生じることなく配管保護体を配設することができる。
【０００６】
本第３発明では、配管保護体（１）には、配管（ＥＰ）が延びる方向と直交する方向の両側縁（１１ａ，１１ｂ）に、硬質材よりなる耐久部（２）が設けてある。耐久部は例えば、配管保護体の側縁に鋼材を埋設する等によって実現される。本第３発明によれば、コンクリートカッターの刃先等が当たっても配管保護体の本体部が損傷を受けない。
【０００７】
本第４発明では、上記耐久部（２）は丸棒体で、軸心回りに回転可能に設けられている。本第４発明においては、コンクリートカッターの回転する刃が当たると丸棒体は刃の回転に応じて反対方向へ自在に回転する。これにより丸棒体は上記刃によって殆ど損傷を受けないとともに、刃を配管保護体から逸らせるような作用力を生じる。
【０００８】
なお、上記カッコ内の符号は、後述する実施形態に記載の具体的手段との対応関係を示すものである。
【０００９】
【発明の実施の形態】
（第１実施形態）
図１は配管保護体１の平面図、図２はその縦断面図、図３はその横断面図である。配管保護体（以下、単に保護体という）１は、長方形の板状をなす本体部１１と当該本体部１１の一端に形成された連結部１２よりなる、ダクタイル鋳鉄の一体鋳造品である。本体部１１は短辺方向の両側縁１１ａ，１１ｂが下方へ直角に屈曲してガード壁１１１となるとともに、これら側縁１１ａ，１１ｂの上面には長辺方向へ延びる半円弧溝１１２が形成されて、これら半円弧溝１１２内に、硬質の丸棒鋼２が耐久部としてその下半を接合して設けてある。
【００１０】
本体部１１の他端には上面中央に円柱状の係止突起１３が形成されている。また、本体部１１上面の中心の円形領域１４には、配管を管理する会社のマーク等が鋳造時に同時成形されている。連結部１２は本体部１１の一端上面から、本体部１１よりも狭い幅で水平方向へ矩形板状に延出しており、延出端の中央に、長辺方向へ延びる長穴状の係止穴１２１が形成されている。係止穴１２１の穴径は上記係止突起１３よりも十分大きくしてあり、連結部１２の下面は本体部１１の上面よりもやや高くなっている。
【００１１】
このような保護体１は図４に示すように、地中の浅い部分（図７のＡ部）に埋設された配管（本実施形態では電線管）ＥＰの上方を覆うように、配管ＥＰに沿って複数連ねて地表Ｅとの間の地中に設置される。なお、この際、前後の保護体１は図５に示すように、一方の保護体１の連結部１２の係止穴１２１内に他方の保護体１の係止突起１３を進入させることによって互いに横ずれしないように連結される。係止穴１２１は既述のように係止突起１３よりも大きな長穴としてあるから、図５に示すように連結状態の前後の保護体１を、平面視で配管ＥＰの曲がりに沿って適当に振らすことができる。
【００１２】
このような保護体１を設けたことにより、図６に示すように、地表Ｅ下の舗装層Ｈを切断するコクリートカッターの刃Ｃが配管ＥＰに接近しても、刃先が保護体１に当たってそれ以上進入するのが阻止される。これにより、コクリートカッターの刃Ｃで配管ＥＰが損傷を受けてその中に通された信号線Ｓが切断されることはない。特に本実施形態では、保護体１の上面両側縁に丸棒鋼２が設置してあるから、ガード壁１１１の存在と相俟って、コクリートカッターの刃Ｃが当たっても本体部１１が切断されることはなく、刃Ｃに対して十分な耐久性を有する。なお、上記丸棒鋼に代えて、本体部の両側縁に角溝を形成してこの中に硬質の矩形セラミック片の下半を接合するようにしても良い。
【００１３】
（第２実施形態）
図７において、配管ＥＰとこれを覆う保護体１は地表Ｅ下の舗装層Ｈ内に埋設されている。本実施形態では、保護体本体部１１の両側縁１１ａ，１１ｂに形成された半円弧溝１１２内に丸棒鋼２が軸心回りに回転可能に配設されている。すなわち、半円弧溝１１２の開放口には半円弧断面のカバー体２１が覆着されて円形断面の空間が形成されており、当該空間内に丸棒鋼２が挿入されてその周囲がグリース２２で満たされている。他の構造は第１実施形態と同様である。
【００１４】
このような構造の配管保護体１にコンクリートカッターの回転する（矢印）刃Ｃが当接すると、丸棒鋼２は刃Ｃの回転に応じて反対方向へ自在に回転する。これにより丸棒鋼２は上記刃Ｃによって殆ど損傷を受けることがないとともに、本実施形態では刃Ｃを配管保護体１から上方へ逸らせるような作用力を生じて、保護体１への刃Ｃの進入をより効果的に阻止する。なお、グリースを使用せず、丸棒鋼を配管保護体の一部で隙を有して回転可能に保持するような構造としても良い。
【００１５】
【発明の効果】
以上のように、本発明の配管保護体によれば、地中に埋設された配管が地上機械の刃等によって損傷を受けないように保護することができる。
【図面の簡単な説明】
【図１】本発明の第１実施形態を示す配管保護体の平面図である。
【図２】図１のＩＩ−ＩＩ線に沿った断面図である。
【図３】図１のＩＩＩ−ＩＩＩ線に沿った断面図である。
【図４】配管保護体の使用状態を示す平面図である。
【図５】配管保護体の使用状態を示す断面図である。
【図６】配管保護体の使用状態を示す断面図である。
【図７】本発明の第２実施形態を示す地中に設置された配管保護体の断面図である。
【図８】従来例を示す配管が埋設された地中の断面図である。
【符号の説明】
１…配管保護体、１１…本体部、１１ａ，１１ｂ…側縁、１２…連結部、１２１…係止穴、１３…係止突起、２…丸棒鋼、２１…カバー体、２２…グリース、ＥＰ…配管、Ｅ…地表。
【図１】
2004183803.tif 000003
【図２】
2004183803.tif 000004
【図３】
2004183803.tif 000005
【図４】
2004183803.tif 000006
【図５】
2004183803.tif 000007
【図６】
2004183803.tif 000008
【図７】
2004183803.tif 000009
【図８】
2004183803.tif 000010